(57)【特許請求の範囲】
【請求項１】
上方端部部分と下方端部部分の間に伸張し、前部側部および後部側部を含む主本体であって、前記主本体が、前記上方端部部分と前記下方端部部分の間を実質的に線形に伸張する主長手方向軸を定め、更に、
前記主本体に対して回転可能なように前記主本体の前記上方端部部分に取り付けられたブレードハウジングであり、前記ブレードハウジングが、被取付側部と前記被取付側部の反対側の自由側部を具備するヘアトリマーにおいて、
前記主本体と前記ブレードハウジングの間の境界平面と、
前記ブレードハウジングの前記自由側部に設けたカッティングメカニズムであり、前記カッティングメカニズムが毛髪を切断するためのカッティング表面を含み、更に、
前記ブレードハウジングの前記自由側部上に着脱可能に取り付けられるコームとを含み、前記コームの上方周辺部表面と前記主長手方向軸とでなすコーム角度（ψ）が、８０乃至１５５度であることを特徴とするヘアトリマー。
【請求項２】
前記主本体の上方端部部分が、前記主長手方向軸から片寄っている片寄り部分を含むことを特徴とする請求項１項記載のヘアトリマー。
【請求項３】
前記前部側部および前記後部側部が、前記主本体の分離可能部分であることを特徴とする請求項１項記載のヘアトリマー。
【請求項４】
前記主本体が主本体フランジを含み、前記ブレードハウジングがブレードハウジングフランジを含み、前記主本体フランジと前記ブレードハウジングフランジとが連動して、前記主本体と前記ブレードハウジングとを、両者間の相対的回転を可能としながら、固定することを特徴とする請求項３記載のヘアトリマー。
【請求項５】
カッティング中の毛髪の領域を照明するために、灯りが、前記カッティング表面の近傍に設けられていることを特徴とする請求項１項記載のヘアトリマー。
【請求項６】
Ｏリングが、前記主本体と前記ブレードハウジングの間に設けられていることを特徴とする請求項４記載のヘアトリマー。
【請求項７】
前記主本体と前記ブレードハウジング間での相対的回転を防止するためのピボットロックが装備されていることを特徴とする請求項１記載のヘアトリマー。
【請求項８】
前記境界平面が、前記主長手方向軸に対して境界角度（β）をなすことを特徴とする請求項１記載のヘアトリマー。
【請求項９】
前記カッティングメカニズムがさらに、平行になるように配置された実質的に平面状の静止ブレードおよび実質的に平面状の往復ブレードを含んで、両者間にカッティング平面を定め、前記カッティング表面が、協働する前記静止ブレードのエッジと前記往復ブレードのエッジとによって定められ、前記カッティング平面と前記境界平面とが、ブレード角度（α）をなすことを特徴とする請求項１〜８のいずれかに記載のヘアトリマー。
【発明の詳細な説明】
【０００１】
【発明の属する技術分野】
本発明は一般的にはヘアトリマーに関し、より詳しくは、きちんとして身だしなみの良い外見を得るために顎髭および口髭をトリミングするように構成されたヘアトリマーに関する。
【０００２】
【従来の技術】
一般に、きちんとして身だしなみの良い外見を得るために、顎髭および／または口髭をたくわえている人は通常は、顔の毛髪をトリミングすることを希望することが時折ある。現在のところ、電気ひげ剃り器と組み合わせて使用されるトリマーや独立型の電気式顎髭／口髭トリマーが利用可能である。通常は、これらのトリマーは、単一の場所に固定されユニットの前部から伸張するカッティングヘッド（この中に１つのブレードが別のブレードと互いに往復運動をしている）を有している。毛髪を一様な長さにカッティングするために、カッティングヘッドを皮膚からある基底の距離だけ間隔を保つような取付け櫛を使用してもよい。一般的には、トリマーを性分に反して使用する、すなわち、毛髪が自然に生える方向と逆の方向にトリマーを使用することが提唱される。
【０００３】
【発明が解決しようとする課題】
現在入手可能な顎髭トリマーの多くにとっての１つの問題は、ユニットのカッティングヘッドとハンドル（または主本体）の間の関係に関する。使用者は、カッティングヘッドを顔面および／または首に対して希望の位置に揃えるためには、自分の手と腕をもしかして不快なまたは不便な場所に置かなければならないことがしばしばある。この潜在的な不快感に加えて、トリマーユニットを位置付けすると、ユニットの本体、ユーザの手もしくはユーザの腕（またはこれらすべて）を直接に、これらのすべてがトリミング中の領域に対するユーザの視界を妨げトリミングをより困難なものとし、毛髪がトリミングされている領域の前部に置くことになりかねない。
【０００４】
視界が妨げられないということは、明瞭で明確なエッジラインを生成するために顎髭、口髭およびもみあげの周辺のあたりを徐々に進行する場合には特に重要である。現在使用可能な多くのトリマーが抱えている別の問題もまた、毛髪がカッティングされている領域を使用者が適切に見ることができないという点に関する。習慣的に、（顎髭のみづくろいの大多数が発生しやすい）浴室中の灯りは頭上の光源から発する。再度言うと、使用者の手とトリマーユニットは、トリミングされている領域を使用者が適切に見ることを妨げることになりかねない。この例では、トリマーユニットおよび使用者の手は、トリミングされている領域が頭上の灯りによって照明されるのを妨げる陰を生成することがある。この問題は、顎自体が陰を生成し視界を損なう顎下の領域では深刻なものとなる。
【０００５】
性分に反して毛髪をトリミングすると毛髪１本１本が実際に一様な長さにトリミングされるが、控えめにトリミングすると、毛髪１本１本が一様な長さにトリミングされるように見えるだけである。これは部分的には、毛髪の生え方のためである。毛髪は一般的に一方向に成長するが、一部のストランドはよりランダムな方位で成長する。性分に反してトリミングすると、毛髪のストランドのすべてが持ち上げられ、実質的に同じ長さにトリミングされる。次に、毛髪は皮膚近傍でその元の状態に戻るが、毛髪の一部は不揃いのままである。これらの毛髪は他の毛髪を基準として角度付けされるので、他の毛髪より長くカッティングされたり短くカッティングされたり見えるようになるが、これらは実際には他の毛髪と同じ長さにカッティングされている。この現象の結果、顎髭は幾分か不揃いであるように見えることになる。
【０００６】
これと対照的に、顎髭を控えめにカッティングすると、よりきちんとしてさらにより見栄えのする外見が得られるが、毛髪の個々のストランドは実際には正確に同じ長さにはカッティングされていない。顎髭を控えめにカッティングする場合、不揃いに生えている毛髪（大多数の毛髪と比較して少ない）のストランドは、揃っているストランドとは異なった長さにカッティングされる。したがって、不揃いのストランドが自身の元の状態に復帰してその領域での大多数のストランドを基準にして角度付けされると、毛髪のストランドのすべてが一様な長さにカッティングされたように見え、その結果、希望のきちんとした身だしなみの良い外見となる。
【０００７】
【課題を解決するための手段】
本発明によるヘアトリマーは、ブレードハウジングからある角度で伸張するカッティング表面を含むが、この場合、このブレードハウジングはヘアトリマーの主本体を基準として回転可能である。トリマーの主本体は、主本体の残余からいくぶん偏っている上方部分を含む。トリマーのブレードハウジングと主本体の間の境界はトリマーの主長手方向軸を基準として傾斜しており、これによって、ブレードハウジングが回転すると、カッティング表面が（主長手方向軸を基準として）事前決定された角度にまで外側に伸張する。
【０００８】
これらの事前決定された角度は、特に生え方が控えめな顎髭をカッティングする際には、手と腕を基準として最大の心地よさを提供するように選択されている。これらの事前選択された角度はまた、トリマー本体ならびに使用者の手および腕をトリミング中の領域の視界を邪魔しない領域に置くようにすれば、トリミング中の領域の視界を向上させる。灯りをカッティング表面近傍に追加することによって視界はさらに向上するが、この場合、灯りはトリミングされる領域を照明する目的で使用される。
【０００９】
より具体的に言うと、本発明は、上方端部部分と下方端部部分の間を伸張する主本体を含み、さらに、前部側部および後部側部を含むヘアトリマーを提供する。主本体は、上方端部部分近傍に置かれている片寄り部分を別として、上方端部部分と下方端部部分の間を実質的に線形に伸張する主長手方向軸の輪郭を定める。こうする代わりに、片寄り部分を省いても良い。ブレードハウジングは、ブレードハウジングが主本体を基準として回転可能なように、主本体の上方端部に回転可能なように取り付けられている。ブレードハウジングは、被取付側部および、この被取付側部の反対側に置かれた自由側部によって輪郭を定められる。境界平面は、主本体とブレードハウジングの間で輪郭を定められている。この境界平面は、主長手方向軸に対して斜めの境界角度で伸張している。本発明によるヘアトリマーは、ブレードハウジングの自由端部上に着座しているカッティングメカニズムを含んでいる。このカッティングメカニズムは、毛髪を契合して切断するためのカッティング表面を含む。追加の特徴として、本発明によるヘアトリマーはまた、トリミングされる領域を照明するための灯りを装備してもよい。さらに、本発明によるヘアトリマーはまた、上記の恩典によって、取付け櫛付きでも無しでも使用されるように設計されている。
【００１０】
別の実施形態においては、本発明は、上方端部部分と下方端部部分の間を伸張する主本体を含むヘアトリマーを提供するが、この主本体は、主本体を前部側部と後部側部とに分割するように、上方端部部分と下方端部部分の間を実質的に線形に伸張する主長手方向平面の輪郭を定める。ブレードハウジングは主本体の上方端部部分に運動可能に取り付けられていて、被取付側部およびこの被取付側部と反対側の自由側部の輪郭を定めている。カッティングメカニズムはブレードハウジングの自由側部上に着座されていて、これと共に移動するような構成となっているが、このカッティングメカニズムは、概して互いに平行に配置された実質的に平面状の静止ブレードおよび実質的に平面状の往復ブレードを含むが、この静止ブレードは静止カッティングエッジを有し、往復ブレードは往復カッティングエッジを有し、この場合、静止カッティングエッジと往復カッティングエッジは協働してカッティング表面を形成し、また、カッティング表面が前部側部と揃えられるようにブレードハウジングが移動すると、カッティング平面と主長手方向平面の成す角度は第１の事前決定角度に設定され、カッティング表面が後部側部と揃えられるようにブレードハウジングが移動すると、カッティング平面と主長手方向平面が成す角度は第２の事前決定角度に設定されるが、この場合、第２の事前決定角度は第１の事前決定角度とは異なり、第１と第２の事前決定角度は共に、あまり生えていない毛髪をカッティングする際に顔面に毛髪が生える領域に対してカッティング表面を適切に揃えるように特定的に選択されている。
【００１１】
【実施例】
本発明の１つの好ましい実施形態を以下の図面を参照にして以下に説明する。
ここで図１を参照すると、本発明によるヘアトリマーの実施形態が参照符号１０で総称されており、３つの主要な構成部品、すなわち主本体１２，ブレードハウジング１４およびカッティングメカニズム１６（隠線で部分的に示されている）を含んでいるのが示されている。簡単に言うと、ブレードハウジング１４は、主本体１２を基準として回転するように構成され、これら２つのセクション間の境界１８のところの境界平面の輪郭を定めている。
【００１２】
カッティングメカニズム１６は、静止ブレード２０と往復ブレード２２（図８を参照）の着脱可能サブアセンブリであって、これら２つのブレードのカッティング歯の相互作用によって、毛髪を契合して切断することができるカッティング表面２４が形成されるのが好ましい。カッティング表面２４は、往復ブレード２２の歯が静止ブレード２０の歯と重なる領域であると定義されるが、この構成は当業者には周知である。カッティング表面２４は、以下に説明するカッティング平面３４内の領域である。本発明のさらなる特徴は、毛髪がカッティングされている領域を照明するための灯り２６を含むことである。
【００１３】
本明細書を読めば分かるように、底部、頂部、上側に、下側に、左、右などの方向を表す用語は図面を参照する際に便利で明瞭であることを目的として用いられているだけのものであり、本発明や本発明の動作に対する制限であると読まれることを意図するものではないことを理解すべきである。
【００１４】
図１に示すように、主本体１２は主長手方向軸３２によって前部側部２８と後部側部３０に実質的に分割されている。前部側部と後部側部を参照する際には、これらの用語は、特に記述のない限り、主本体１２は主長手方向軸３２に沿った２つの部品に必然的に分離されることを意味することを意図するものではないことに注意されたい。実際、これらの用語は、図面を参照する際に方向を表すために用いられているのである。
【００１５】
主長手方向軸３２はまた、３次元で伸張して、図１に示す２次元図に直角に伸張する主長手方向平面を形成してもよいが、この場合、このように輪郭を定められる主長手方向平面によって前部側部２８と後部側部３０に分割される。静止ブレード２０と往復ブレード２２（図８を参照）という概して平行なこれらの協働するブレードの２つの相手同士の表面によって輪郭を定められる平面であるところのカッティング平面３４と境界１８の間に成されるブレード角度αが存在することに注意されたい。このブレード角度αは約１５度から４５度の範囲であることが好ましいが、約３０度であればより好ましい。
【００１６】
周本体を基準としてブレード角度αをよりよく方向付けするために、この主本体は片寄り部分３３を含むことがある。片寄り部分３３は、第２の軸３５に沿って伸張するように、主長手方向軸３２から片寄っているものである。片寄り角度θは、主長手方向軸３２と第２の軸３５の成す角度であると定義される。片寄り角度θは約１５０度から１７０度の範囲内であることが好ましいが、約１６０度が最も好ましい。第２の軸３５は境界１８に対して直角であることが好ましいことに注意されたい。
【００１７】
本発明の恩典の一部はまた、片寄り角度θが図２の第二の実施例に示すように１８０度である場合に実現される。この第二の実施例においては、片寄り部分はなく、主本体１２によって定められる主長手方向軸３２は完全に線形である。この第二の実施例で実現される主たる恩典の１つは、スイッチアクチュエータ４５などの制御装置が、カッティング表面と同じ側またはカッティング表面の反対側のどちらの側にも位置させることができるようにブレードハウジング１４を回転させることができるという点である。このようにして、使用者はさまざまな応用に対して制御装置の位置をより心地よいところに選択してもよい。
【００１８】
再度図１を参照すると、本発明の１つの重要な特徴は、主本体１２の頂部部分と回転可能ブレードハウジングとの境界１８が主長手方向軸３２を基準として斜めになっていることである。境界角度βと定義されるこの角度は約５５度から８５度の範囲内であることが好ましい。境界角度βは約７０度であればより好ましい。斜め境界角度βがブレード角度αと組み合わせて含まれていることによって、使用者はブレードハウジング１４を回転させて、主長手方向軸３２を基準とした１つの集合を成すさまざまなカッティング表面の角度の間にカッティング表面を方位付けすることができる。このカッティング表面角度の値は図１では角度γと記されている。
【００１９】
角度γは、主本体１２が使用中のトリマー１０としてどこに位置決めされるかを決定するので重要である。通常は、カッティング表面２４がトリミング中の顔面と首のあたりを移動するに連れて、使用者は、トリミング中の表面とカッティング平面の間に比較的一定の角度を維持しようとする。この角度は通常は進入角度と呼ばれる。顔面と首の方位がどのように変化しても進入角度を一定に維持するためには、使用者は主本体１２の傾斜を調節する必要がある。
【００２０】
カッティング表面角度γは主本体１２の主長手方向軸３２とカッティング平面３４の間の関係を表すものであるから、カッティング表面角度γによって、顔面や首のさまざまな領域をカッティングする際に主本体１２がどの方向に伸張するかが決まる。したがって、カッティング表面角度γによって、トリミング中の領域の視界を主本体１２が妨げるか否か、さらに、トリマー１０が、使用者にとって不便でない位置に保持することができるか否かが決まる。
【００２１】
特に重要なことは、カッティング表面２４が前部側部２８と後部側部３０のいずれかと揃えられた際に決まるカッティング表面角度γの値であるが、その理由は、最も頻繁に用いられるであろうと思われるような整合というものが存在するからである。ここで図３と図４を参照すると、カッティング表面２４が前部側部２８（図３を参照）および後部側部（図４を参照）と揃えられている図が示されている。偶然であるが、図３と４にもまた、本発明によるヘアトリマー１０を持った取付け櫛３６が描かれている。一定の進入角度を維持し、さらに、カッティング表面２４を皮膚から一定の距離に保つような取付け櫛が当業者には周知である。
【００２２】
ここでカッティング表面角度γに戻ると、ブレードハウジング１４が１８０度だけ回転すると非常に異なった２つのカッティング表面角度が発生することに注意されたい。カッティング表面２４が前部側部２８（図３を参照）と揃えられる場合には、カッティング表面角度γは約３０度から６０度の範囲内であることが好ましく、４５度であれば最も好ましい。
【００２３】
しかしながら、カッティング表面２４が後部側部３０（図４を参照）と揃えられる場合、カッティング表面角度γは約７５度から８５度の範囲内であることが好ましく、８０度であれば最も好ましい。これら２つのカッティング表面角度は、生え方が控えめな（従来の教え方である控えめでないの逆）顎髭のさまざまな方位の領域をカッティングするための２つの最適なカッティング表面角度を使用者に与えるために選択されたものである。
【００２４】
オプションのコーム３６を用いる場合、追加角度ψも定義される（図３と４を参照）。角度ψはコーム周辺部３７によって定義される直線と主長手方向軸３２の成す角度であると定義される。コーム３６を用いる場合、コーム周辺部３７は、トリミング中の領域にある皮膚を使用者の手が滑る表面となることがしばしばある。したがって、角度ψは、コーム周辺部３７が顔面と首の表面に沿って移動する際にトリマー１０の主本体１２が伸張する方向に関連する重要な角度である。
【００２５】
これらの図に示す実施形態では、角度ψは、ブレード表面２４が前部側部２８（図３を参照）に対面しているときは約９０度であり、ブレード表面２４が後部側部３０（図４を参照）に対面しているときは約１３５度である。ブレードハウジング１４が図３に示すように回転する際の角度ψのおおよその範囲は約８０度から１２０度である。ブレードハウジング１４が図４に示すように回転する場合は、角度ψは約１２５度から１５５度の範囲が提唱される。
【００２６】
顎の下の概して水平方向方位などのある方位を有する顔面や首の領域に沿ってオプションのコーム３６でカッティングする場合は、使用者は図４に示すような大きなカッティング表面角度γ（およびそれと関連する大きな角度ψ）を選択し、その結果、主本体１２が心地よく保持されるようにしてもよい。しかしながら、顎の線の背部の近傍などの別の領域でトリミングする場合は、図３の小さいカッティング表面角度γ（およびそれと関連した小さな角度ψ）によってより便利な把持位置を提供するようにしてもよい。
【００２７】
本発明によるヘアトリマー１０はまた、手と腕を心地よく位置付けし、また、オプションコーム３６無しでトリマーを徐々に進行させたり別様にこれを利用する場合の視界を向上させたりするような人間工学的に設計されている。このような使用法の１例は、使用者ブレードハウジング１４を回転させて図４の位置に入れてコーム３６を取り外して、もみあげ、口髭または顎髭を徐々に剃ることである。ブレードハウジング１４がこの位置に入っている状態で、主長手方向軸３２とカッティング平面３４の成す角度γが好ましい実施形態では約８０度となっている。
【００２８】
このようにして、カッティング平面３４をほとんど水平状態にし、主長手方向軸３２を実質的に垂直に伸張させた状態で徐々に剃ることが可能となる。トリマー１０がこの位置にあると、使用者の肘が身体近くのリラックスした位置にあり、カッティング表面２４は水平方向を基準として少し上側に角度が付いた状態にあり、これによって、トリミングされる領域の視界が最大となる。
【００２９】
本発明によるトリマー１０の図４に示すように回転する場合の心地よい使用法の第２の例は、上側にストロークさせることによって顎の下をトリミングする場合である。この使用法の人間工学的な恩典は、すでに直接的に述べたように徐々に剃る場合に実現される恩典に類似している。
【００３０】
ブレードハウジング１４を主本体１２を基準としてある回転位置に保持するために、ピボットロック３８が装備されている。ある好ましい実施形態では、ピボットロック３８がブレードハウジングを図３の位置と図４の位置のいずれかに固定する。ピボットロック３８を押して、ブレードハウジングを現在保持されている位置の反対側の位置に回転させることができる。
【００３１】
ここで図６と図９を参照すると、ピボットロック３８がロッキングアーム４９に取り付けられている。このロッキングアーム４９は通常は、ブレードハウジング１４上に置かれている戻り止め５１（図６にだけ示されている）内で契合されている。この好ましい実施形態では、ブレードハウジング１４の内部円周の互いに反対側に２つの戻り止め５１が置かれているが、ここで、一方の戻り止めがブレードハウジングを図３の位置に固定し、他方の戻り止めがブレードハウジングを図４の位置に固定する。
【００３２】
ピボットロック３８の固定を外してブレードハウジングを回転させるには、ピボットロックを単に内側に押せば、ロッキングアーム４９が戻り止め５１から外れ、これによって回転可能となる。これで、ブレードハウジング１４は反対側の位置に回転し、ロッキングアーム４９を反対側の位置に契合することが可能となる。
【００３３】
本発明によれば、（図３と４に示す）最適な２つのカッティング表面角度は、使用者が適切な角度を決定するためにいつも調節する必要がないように事前設定される。しかしながら、ある種の手が届きにくい領域に対してよりカスタマイズされた表面角度γを希望する使用者にとっては、回転可能ブレードハウジング１４をまた、図３と４に示す位置以外の位置で停止するように構成することも考慮される。このような中間的な位置のいずれかの位置で停止すると、カッティング表面２４もまた、図３の位置または図４の位置のいずれかで停止した場合に得られるような値とは異なった角度方位に傾斜する。
【００３４】
本発明の別の重要な実施例によれば、灯り２６はまた、ブレードハウジング１４上に装備される。灯り２６は、毛髪がカッティングされている領域を照明できるようにカッティング表面２４のすぐ下に置くことが好ましい。灯り２６はブレードハウジング１４に固定されてこれと一緒に回転するようになっていることに注意されたい。このように、灯り２６は、ブレードハウジング１４が主本体１２を基準としてどのように回転するかとは無関係に、常にカッティング表面２４の下に置かれる。
【００３５】
ここで図６から９を参照すると、本発明によるヘアトリマー１０の内部構成部品が記述されている。図６に示すように、バッテリ３９がモーター４０に電力を供給する。バッテリ３９はいかなるタイプの電源でもよいが、ジャック４１を介して充電可能なものであることが好ましい。ＬＥＤ４３は、バッテリ４９が充電しなければならなくなったらそれを指示するようにするのが好ましい。当業者には周知の充電式電源と連結するコンデンサ４７および他の電子構成部品を図８に示す。電力は、スイッチアクチュエータ４５をオンにするとバッテリ３９からモーター４０に出力される。
【００３６】
モーター４０は回転シャフト４２を装備している。偏心カム４４は回転シャフト４２に固定されている。偏心カム４４は、カムホロア４８（図８を参照）の細長スロット中に着座されている。カムホロア４８は往復ブレード２２に固定されている。往復ブレード２２の下に静止ブレード２０がある。往復ブレード２２は、張力ばね４６によって静止ブレード２０に対して片寄っている。したがって、偏心カム４４がカムホロア４８のスロット内で回転すると、この偏心回転運動は往復運動に変換され、これによって往復ブレード２２が静止ブレード２０を基準として振動させる。このようにして、カッティング表面２４は、ブレード２０と２２の双方が互いに接触する点で輪郭を定められる。
【００３７】
ある１つの形態のカッティングメカニズムを図示し説明したが、カッティングメカニズム１６が主として往復ブレードおよび、張力を移動ブレードに対して誘導して印加する手段と共にブレードハウジングに対して直接的に固着する静止ブレードから成る単純化されたブレード装置などの、しかしこれに限られない、他のタイプのブレード装置を本発明によるトリマーと一緒に用いててもよいと考えられる。
【００３８】
ここで、図６に示す領域拡大図である図６と図７に目を転じると、ブレードハウジング１４が主本体１２を基準としてどのように回転するかが示されている。ブレードハウジング１４および主本体１２はおのおのが、相補型Ｌ形状フランジ５２と５４をそれぞれ含んでいる。これらのＬ形状フランジ５２と５４は互いに契合して、主本体１２を基準としたブレードハウジング１４の軸方向運動を抑制している。しかしながら、ブレードハウジング１４および主本体１２のこれらの部分はすべてその断面は円形であるため、ブレードハウジングは主本体を基準として自由に回転できる。
【００３９】
これら２つの構成部品の間での相対的な運動をしている間における放射方向と軸方向の「遊び」を減少させるために、Ｏリング５６を複数のＬ形状フランジの内の１つのフランジのＯリング溝５８内に着座させてもよい。Ｏリング５６はまた、生産公差を吸収したり境界１８を着座させたりする。トリマー１０の組立中に、２つのＬ形状フランジ５２と５４は、主本体１４の２つの側部のいずれか一方（すなわち、前部側部２８か後部側部３０のどちらか）の上に置くことによって互いに連動させ、次に、主本体１４の他方の側部を本体の位置に置いて組立を完了させる。
【００４０】
図８から９に、主本体１２内に置くのが好ましいバッテリ３９から、相対的な回転が可能なブレードハウジング１４上に置かれている灯り２６にまでどのようにして電流が伝達されるかを最もよく示す。灯り２６は、電球６０を含むが、この電球は電球ハウジング領域６２内に着座している。電球６０を損傷から保護し、光線をよりよく分配するために、光レンズ６４（ディフューザとも呼ばれる）が与えられている。光レンズ６４は、光をより広い領域に拡散させて、トリミングされる表面をよりよく照射する働きをする。光レンズ６４はまた、毛髪や他の異物が電球ハウジング領域６２内に集まらないようにしている。１対の電球リード線６６と６８が電流を電球６０に送出する。
【００４１】
本発明の別の重要な態様はスリップリング７０が含まれることである。スリップリング７０は、主本体１２と相対的回転可能ブレードハウジング１４の間の境界１８を横切って電力を伝えるためのリンクとしての働きをする。スリップリング７０はブレードハウジング１４を基準として固定されている。２つの電球リード線６６と６８はおのおのが、スリップリング７０を通って導電性材料から成る１対の同心円７２と７４の別々の一方に電気的に接続される。
【００４２】
これら２つの同心円７２と７４は境界１８の主本体側のスリップリング７０上に置かれており、一方、２つの電球リード線６６と６８は境界のブレードハウジング側のスリップリング上に置かれていることを心にとどめておくべきである。主ハウジング内には２つの光接触子７６と７８が置かれている。光接触子７６は同心円７２と電気的に接続されている。
【００４３】
光接触子７６の先端８０は、たとえ同心円（およびスリップリング７０）がブレードハウジング１４と共に回転しているときでさえも、同心円７２と継続的に滑動接触している。先端８０は、自分自身が同心円７０中に少し片寄っていてそれと接触を維持するように湾曲しているのが好ましい。光接触子７８は同様に少し片寄っていて他方の同心円、すなわち同心円７４と継続的に電気的に接触しているが、光接触子７８の先端は先端８０の曲線の反対の方向に湾曲し、これによって、光接触子７６と７８の間の電位接触を最小化している。
【００４４】
灯り２６の電気回路は主として、可とう性ワイヤ（図示せず）または電気的接触を可能とする他の周知の手段によってスイッチ１０２（図８を参照）と接続するのが好ましいバッテリ３９との間で輪郭を定められる。スイッチ１０２は次に、光接触子７６と７８に接続され、これら接触子はスリップリング７０のそれぞれ同心円７２と７４に接続されている。最後に、同心円７６と７８はまた、光接触子６８と６６に電気的に接続され、ここで、回路は電球６０で完成される。
【００４５】
本発明によるヘアトリマー１０は、異なった２つの動作モードを含むのが好ましい。一方は灯り無しでトリミングする第１のモードであり他方は灯りが存在する状態でトリミングする第２のモードである。このようにして、「オフ」モードを加えることによって、スイッチアクチュエータ４５は、３路スイッチ（灯り無しでオンとオフ、灯り有りでオン）として構成されるのが望ましい。
【００４６】
スイッチアクチュエータ４５を軸方向に滑動させると、モーター４０にまたがるサドル形状部材８０はスイッチアクチュエータと等しい距離だけ軸方向に移動する。サドル形状部材８０は、フレーム８１中にある対応する１対のノッチ８５に沿って移動する２つのタブを介してフレーム８１上に着座している。ノッチ８５およびタブ８３は協働して、サドル形状部材８０がフレーム８１内の軸方向にあまり移動しすぎないようにする。
【００４７】
図８に示すように、サドル形状部材は、３路戻り止め素子８６と滑動接触する１対のアームを含む。３路戻り止め素子８６は主本体１２内に固定されているが、モーター４０の下側に取り付けるのが好ましい。このように、３路戻り止め素子８６は、サドル形状部材８０とスイッチアクチュエータ４５の双方を３つの位置、すなわち図８に示す第１の位置、アーム８２と８４が戻り止め部分８８と９０内で着座している第２の位置およびアーム８２と８４が傾斜部分９２と９４上に着座している第３の位置の内の１つの位置に固定する働きをする。
【００４８】
スイッチアクチュエータ４５が「オン」位置に移動すると、サドル形状部材８０上の第１のアーム９６は第１のリミットスイッチ９６と契合して、モーター４０をオンする。サドル形状部材８０がさらに「灯り有りオン」の位置まで軸方向に移動すると、第２のアームが第２のリミットスイッチ１０２と契合し、これによって、電球６０が照明状態に切り替えられる。第２のリミットスイッチ１０２は、双方のリミットスイッチがスイッチアクチュエータ４５の初期運動によって契合されることがないように第１のリミットスイッチ９８から離しておくことが望ましいことに注意されたい。
【００４９】
スイッチアクチュエータが逆方向に移動すると、第２のリミットスイッチ１０２は「灯り有りオン」位置から単なる「オン」位置（灯り無し）に移動してオフされ、次に、第１のリミットスイッチ９８が、「オン」位置から「オフ」位置に移動してからオフされる。３路スイッチの他の構成もまた本発明の範囲内であると考えられることに注意されたい。
【００５０】
以上のように、本発明によるトリマーは、トリマーを使用することに起因する腕の歪みを最小化するような設計になっており、これによって、これを使用する者は、トリミングされる領域を比較的邪魔されずに見ること、またトリミングされる領域に照明をあてることが可能となる。構造的には、本発明によるトリマーは、トリマーの残余を基準としてある傾斜角で回転するように構成された回転ヘッド、上方端部の基準の片寄り部分以外では概して線形に伸張する主本体および／またはトリミングされている領域を照明するための灯りを含む。
【００５１】
以上の説明の大部分は顎髭と口髭のトリミングに関するものであるが、本発明の特徴の多くが、頭皮の毛髪のカッティングや、動物のせん断や手術の準備としての患者のひげ剃りなどに使用されるような他の形態のトリマーまたはクリッパにも適用可能である。
【００５２】
回転式ブレードハウジングと灯りを持った本発明によるヘアトリマーの特殊な実施形態を図示し説明したが、以下のクレームに記載する本発明のその広範囲にわたる態様から逸脱することなく変更と修正が可能であることが当業者には理解される。
【００５３】
【発明の効果】
第一の効果は、使用者は、カッティングヘッドを顔面または首に対して希望の位置に揃える事ができ、自分の手を不快、不便な場所に置く必要がない。したがって、トリミング中の視界を妨げる事がない。
第二の効果は、頭上からの光源によって陰が生成されるのを防止し、毛髪がカッティングされている領域を使用者が適切に見ることができる。理由は、トリミングされる領域に照明をあてることが可能となるからである。
【図面の簡単な説明】
【図１】図１は、本発明の第一の実施例によるヘアトリマーの側面図である。
【図２】図２は、本発明の第二の実施例によるヘアトリマーの側面図である。
【図３】図３は、取付け櫛を自身に取り付けた状態の本発明によるヘアトリマーの第一の実施例の側面図であり、この場合、ブレードハウジングは、ブレードのカッティング表面がトリマーの前部の方向に（すなわち、図の右側の方向に）向かうように方位付けされている。
【図４】図４は、図３と類似の側面図（取付け櫛をオプションとして含む）であるが、ブレードのカッティング表面がここでは、トリマーの後部の方向に向けられるようにブレードハウジングが１８０度回転している点が図３と異なる。
【図５】図５は、取付け櫛をオプションとして含む、本発明によるヘアトリマーの第一の実施例の正面図であるが、この場合、カッティング表面がトリマーの前部の方向に向けられるようにブレードハウジングが回転されている。
【図６】図６は、本発明の第一の実施例によるヘアトリマーの部分破断図である。
【図７】図７は、参照符号Ａで示した図６の部分の拡大図である。
【図８】図８は、図６のブレードハウジング部の拡大断面図である。
【図９】図９は、本発明の一実施例であるヘアトリマーの内部の構成部品が見えるように主本体の前部側部部分が取り外された状態を示す平面図である。
【図１０】図１０は、本発明の一実施例であるヘアトリマーの内部の構成部品が見えるように後部側部部分を取り外した状態を示す要部斜視図である。
【符号の説明】
１０            ヘアトリマー
１２          主本体
１４          ブレードハウジング
１６          カッティングメカニズム
１８          境界
２０          静止ブレード
２２          往復ブレード
２４          カッティング表面
２６          灯り
２８          前部側部
３０          後部側部
３２          主長手方向軸
３８          ピボットロック
３９          バッテリ
４０          モーター
４１          ジャック
４３          ＬＥＤ
４４          偏心カム
４５          スイッチアクチュエータ
４７          コンデンサ
４８          カムホロア
４９          バッテリ
６０          電球
６２          電球ハウジング領域
６４          光レンズ
６６，６８    電球リード線
７０          同心円（スリップリング）
７６，７８    同心円
８０          サドル形状部材（先端）
８１          フレーム
８２          アーム
８３          タブ
８５          ノッチ
８６          ３路戻り止め素子
９２          傾斜部分
９８          第１のリミットスイッチ
１０２        スイッチ
【図１】
0004518290.tif 000002
【図２】
0004518290.tif 000003
【図３】
0004518290.tif 000004
【図４】
0004518290.tif 000005
【図５】
0004518290.tif 000006
【図６】
0004518290.tif 000007
【図７】
0004518290.tif 000008
【図８】
0004518290.tif 000009
【図９】
0004518290.tif 000010
【図１０】
0004518290.tif 000011